(57)【特許請求の範囲】
【請求項１】
部屋に設けられた屋外に通じる換気口と、部屋と部屋との間の間仕切りまたは建具に設けられた可変通気口と、各部屋に設けられたガスセンサーと、外壁または天井に設けられた屋外に通じる排気ファンと、部屋の外壁または天井に設けられた屋外に通じる風量自動可変排気ファンとからなり、常時、前記可変通気口が一部開口し、換気ファンが稼働していて、部屋に設けられたガスセンサーが有害ガスを感知し、この感知した有害ガスが所定の許容量を超えると、風量自動可変排気ファンが稼働すると共に、ガスセンサーが感知した部屋から風量自動可変排気ファンが設けられている部屋までの可変通気口の開口面積が大きくなる構造になされていることを特徴とする建物の換気構造。
【請求項２】
各居室に設けられた屋外に通ずる換気口と小型排気ファンと、部屋と部屋との間の間仕切りまたは建具に設けられた可変通気口と、各居室に設けられたガスセンサーと、部屋の外壁または天井に設けられた屋外に通ずる排気用の排気ファンとからなり、常時、前記可変通気口が開口し、排気ファンが稼働していて、部屋に設けられたガスセンサーが有害ガスを感知し、この感知した有害ガスが所定の許容量を超えると、小型排気ファンが稼働すると共に、ガスセンサーが有害ガスを感知した居室と隣の部屋との間の間仕切りまたは建具に設けられた可変通気口が閉まる構造になされていることを特徴とする建物の換気構造。
【発明の詳細な説明】
【０００１】
【発明の属する技術分野】
本発明は、建物の換気構造に関する。
【０００２】
【従来の技術】
従来、建物内部の部屋を換気する建物の換気構造として、例えば、特開昭６３−１６５６３２号公報に記載あるように、床下空間に空気取入口を設け、床下空間から小屋裏空間までを空気シャフトゾーンにて連通させ、小屋裏空間に屋外に通ずる空気排出口を設け、空気シャフトゾーンに通ずる空気取入口と空気排気口とを各部屋の上下に設けた建物の換気構造が知られている。この建物の換気構造は、温度差によって生ずる空気の上昇力や風によって生ずる風圧による床下空間から小屋裏に流れる空気によって家屋全体の空気を換気するものである。
【０００３】
【発明が解決しようとする課題】
しかしながら、上記特開昭６３−１６５６３２号公報記載の建物の換気構造では、家屋内外の温度差や風速等に大きく影響されるため、部屋の空気が炭酸ガス、一酸化炭素、湿気等の有害ガスが多く発生したときに、十分換気されず、部屋の中にいつまでも有害ガスが充満することがある。
本発明の目的は、これらの問題点を解消し、常時換気され、しかも、一時的に有害ガスが充満すると速やかに換気できる建物の換気構造を提供するものである。
【０００４】
【課題を解決するための手段】
請求項１記載の発明は、部屋に設けられた屋外に通じる換気口と、部屋と部屋との間の間仕切りまたは建具に設けられた可変通気口と、各部屋に設けられたガスセンサーと、部屋の外壁または天井に設けられた屋外に通じる排気ファンと、部屋の外壁または天井に設けられた屋外に通じる風量自動可変排気ファンとからなり、常時、前記可変通気口が一部開口し、換気ファンが稼働していて、部屋に設けられたガスセンサーが有害ガスを感知し、この感知した有害ガスが所定の許容量を超えると、風量自動可変排気ファンが稼働すると共に、ガスセンサーが感知した部屋から風量自動可変排気ファンが設けられている部屋までの可変通気口の開口面積が大きくなる構造になされているものである。
【０００５】
又、請求項２記載の発明は、各居室に設けられた屋外に通ずる換気口と小型排気ファンと、部屋と部屋との間の間仕切りまたは建具に設けられた可変通気口と、各居室に設けられたガスセンサーと、部屋の外壁または天井に設けられた屋外に通ずる排気用の排気ファンとからなり、常時、前記可変通気口は開口し、排気ファンが稼働していて、部屋に設けられたガスセンサーが有害ガスを感知し、この感知した有害ガスが所定の許容量を超えると、小型排気ファンが稼働すると共に、ガスセンサーが有害ガスを感知した居室と隣の部屋との間の間仕切りまたは建具に設けられた可変通気口が閉まる構造になされているものである。
【０００６】
本発明において部屋とは、建物の中が区画された一部分をいうものであって、和室や洋室等の居室、玄関ホール、階段ホール、台所等をいう。
本発明においてガスセンサーとは、有害ガスを感知するものであって、有害ガスの中に１種類だけ感知するものであってもよく、又、複数種類の有害ガスを感知するものであってもよい。そして、測定したい有害ガスが多数あって１個のガスセンサーで感知することが不可能である場合には、それぞれ別の有害ガスを感知するガスセンサーを複数個設けるとよい。
本発明における有害ガスとは人体に害を及ぼしたり、不快にするガスを総称するものであって、一酸化物炭素、炭酸ガス、湿気、煙草等の煙等が代表的な有害ガスである。
本発明における所定の許容量とはそれぞれの有害ガスについて予め定めた量をいう。
【０００７】
請求項１記載の発明に使用する排気ファンや風量自動可変排気ファンと換気口は、排気ファンや風量自動可変排気ファンで部屋の空気を屋外に排気させ、換気口から外気を導入して建物全体を換気するものである。従って、この排気ファンや風量自動可変排気ファンと換気口とは建物全体の空気が換気し易い場所に設けることが好ましい。例えば、排気ファンや風量自動可変排気ファンを台所や２階の階段ホール等に設け、換気口をこれより遠い１階の居室や２階の居室に設けるとよい。
【０００８】
（作用）
本発明では、部屋に設けられた屋外に通じる換気口と、部屋と部屋との間の間仕切りまたは建具に設けられた可変通気口と、部屋の外壁または天井に設けられた屋外に通じる排気ファンが設けられ、常時、可変通気口が一部開口し、排気ファンが稼働しているから、常時稼働している排気ファンによってこの排気ファンが設けられている部屋内の空気が排気され、この部屋の空気が負圧になり、部屋と部屋との間の間仕切りに設けられている一部開口している可変通気口から隣の部屋の空気が流れ込む。すると、この隣の部屋が負圧になり、更に、次の隣の部屋から空気が流れ込むというように次々と部屋の空気が排気ファンが設けられている部屋の方向に流れ込み、最後に、屋外に通じる換気口から外気が部屋に入る。換言すると、換気口から外気が流入し排気ファンで部屋の空気が排気されて換気される。
このようにして、常時、各部屋の換気が行われる。
【０００９】
そして、各部屋の中のどれか１つの部屋から炭酸ガスや一酸化炭素等の有害ガスが発生すると、請求項１記載の発明では、部屋に設けられたガスセンサーが有害ガスを感知し、この感知した有害ガスが所定の許容量を超えると、風量自動可変排気ファンが稼働するようになっているから、風量自動可変排気ファンが稼働し、風量自動可変排気ファンが設けられている部屋の排気量が多くなる。
【００１０】
しかも、請求項１記載の発明では、ガスセンサーが感知した部屋から風量自動可変排気ファンが設けられている部屋までの可変通気口の開口面積が大きくなるから、ガスセンサーが感知した部屋から風量自動可変排気ファンが設けられている部屋までの可変通気口の開口面積が大きくなり空気が流れ易くなる。従って、ガスセンサーが感知した部屋から大量の空気が、可変通気口を通って、風量自動可変排気ファンから屋外に排気される。
このように、炭酸ガスや一酸化炭素等の有害ガスが発生し、許容量を超えると、速やかに排気され、部屋の中に有害ガスが長期間充満することがなく、快適であるし、安全である。
【００１１】
又、請求項２記載の発明では、居室に設けられたガスセンサーが有害ガスを感知し、この感知した有害ガスが所定の許容量を超えると、小型排気ファンが稼働すると共にガスセンサーが感知した居室と隣の部屋との間の間仕切りまたは建具に設けられた可変通気口が閉まるようになっているから、この有害ガスを感知した居室と隣の部屋との間の間仕切りや建具に設けられている可変通気口が閉まり小型排気ファンが稼働して、小型排気ファンによってガスセンサーが感知した居室の空気が排気され、この居室の換気口から外気が入って換気される。このように１つの居室のみが換気されるから速やかに換気される。しかも、居室と隣の部屋との間の間仕切りまたは建具に設けられている可変通気口が閉まっているからこの有害ガスが別の部屋に拡がることがない。
このように、別の部屋に有害ガスが拡がらず安全であると同時に、炭酸ガスや一酸化炭素等の有害ガスが発生すると速やかに排気され、居室の中に有害ガスが長期間充満することがなく、快適である。
【００１２】
【発明の実施の形態】
以下、本発明の実施の形態を図面を参照して説明する。
（実施例１）
先ず図１および図２に示す実施例について説明する。
図１および図２は本発明建物の換気構造の一実施例を示すもので、図１は建物の断面図、図２は可変通気口と風量自動可変排気ファンとの関係を示す説明図である。
【００１３】
図１および図２において、Ａは建物であり、この建物Ａには、１階に居室１１、１２、台所１３、階段ホール１４等が設けられ、２階に居室２１、階段ホール２２等が設けられている。
３は換気口であり、この換気口３は１階の居室１１の屋外に通じる壁に設けられた換気口３−１と、１階の台所１３の屋外に通じる壁に設けられた換気口３−２と、２階の居室２１の屋外に通じる壁に設けられた換気口３−３等からなる。
【００１４】
４は可変通気口であり、この可変通気口４は１階の居室１１と居室１２との間の間仕切りに設けられた可変通気口４−１と、居室１２と階段ホール１４との間の間仕切りに設けられた可変通気口４−２と、居室１２から図示されない浴室との間の欄間からなる建具に設けられた可変通気口４−３と、階段ホール１４と台所１３との間に設けられた間仕切りに設けられた可変通気口４−４と、２階の居室２１と階段ホール２２との間の間仕切りに設けられた可変通気口４−５と、階段ホール２２から図示されない部屋との間の扉からなる建具に設けられた可変通気口４−６等からなる。
【００１５】
この可変通気口４は、図２に示すように、上半分に開閉扉４１が設けられ、下半分が常時開口され、この開口部分にルーバー４２が設けられている。
この開閉扉４１は後述の制御装置８によって開閉できるようになっていて、開くと、可変通気口４が全開されて可変通気口４の開口面積が大きくなり、閉じると、下半分だけになって開口面積が小さくなるようになっている。
【００１６】
５は排気ファンであり、この排気ファン５は２階の階段ホール２２の屋外に通じる壁の開口に設けられていて、常時、稼働していて、建物Ａ内の空気を屋外に排気している。
６は１階の台所１３に設けられているフードであり、このフード６の中に図示されない換気扇と風量自動可変排気ファン６１が設けられていて、この換気扇と風量自動可変排気ファン６１は開口６２を通って屋外に通じている。そして、換気扇は台所１３でガスレンジ等を使用するとき等の有害ガスが発生するときには手動で開閉でき、風量自動可変排気ファン６１は後述の制御装置８によって稼働、停止ができるようになっている。
【００１７】
７はガスセンサーであり、このガスセンサー７は炭酸ガス、一酸化物炭素、煙草の煙、湿気等の有害ガスを感知するものである。
８は制御装置であり、この制御装置８は、図２に示すように、ガスセンサー７が感知した炭酸ガス、一酸化物炭素、煙草の煙、湿気等の有害ガスの量を絶えず測定していて、許容範囲を超えると、風量自動可変排気ファン６１のスイッチを入ると同時に、ガスセンサー７が感知した部屋から風量自動可変排気ファン６１が設けられている台所１３までの開閉扉４１のスイッチが入るようになっている。すると、風量自動可変ファン６１が稼働すると共に、ガスセンサー７が感知した部屋から風量自動可変排気ファン６１が設けられている台所１３までの可変通気口４５の開口面積が大きくなる。
【００１８】
次に、この建物の換気構造の使用状態を説明する。
常時、排気ファン５が稼働している。
すると、この排気ファン５が設けられている２階の階段ホール２２内の空気が排気され、この２階の階段ホール２２と、この２階の階段ホール２２およびこの階段ホール２２に続いている１階の階段ホール１４の空気が負圧になり、この２階の階段ホール２２と２階の居室２１との間の間仕切りに設けられている可変通気口４−５と、図示されない部屋との間の扉からなる建具に設けられた可変通気口４−６を通って空気が流れ込む。居室２１の空気が２階の階段室２２に流れ込むと居室２１が負圧になり、換気口３−３から外気が流れ込む。換言すると、換気口３−３から外気が入って、排気ファン５で排気されて２階の階段ホール２２と居室２１等が換気される。
【００１９】
又、上記のように１階の階段ホール１４が負圧になると、１階の階段ホール１４と１階の居室１２との間の間仕切りに設けられている可変通気口４−２と、台所１３との間の間仕切りに設けられている可変通気口４−４を通って空気が流れ込む。又、居室１２の空気が１階の階段室に流れ込むとこの居室１２が負圧になり、隣の居室１１から可変通気口４−１を通って流れ込む。その結果、台所１３の間には換気口３−２から外気が流れ込むし、居室１１には換気口３−１から外気が流れ込む。
換言すると、換気口３−２から外気が入って排気ファン５で排気されて１階の居室１１、１２、階段ホール１４、台所１３が換気される。
【００２０】
そして、各部屋の中のどれか１つの部屋、例えば、居室１１に据え付けている暖房器具から炭酸ガスや一酸化炭素等の有害ガスが発生すると、居室１１に設けられたガスセンサー７が有害ガスを感知し、この感知した有害ガスの量を制御装置８が測定していて、この有害ガスが予め定めている所定の許容量を超えると、制御装置８が風量自動可変排気ファン６１のスイッチを入ると同時に、ガスセンサー７が感知した部屋から風量自動可変排気ファン６１が設けられている台所１３までの可変通気口４−１、４−２、４−４の開閉扉４１のスイッチを入れて開口面積が大きくなる。
【００２１】
すると、ガスセンサー７が感知した居室１１から風量自動可変排気ファン６１が設けられている台所１３までの可変通気口４−１、４−２、４−４の扉４１が開き開口面積が大きくなるから、ガスセンサー７が感知した居室１１から風量自動可変排気ファン６１が設けられている台所１３まで空気が流れ易くなり、ガスセンサー７が感知した居室１１から大量の空気が、可変通気口４１、４２、４４を通って、風量自動可変排気ファン６１で屋外に排気される。
このように、炭酸ガスや一酸化炭素等の有害ガスが発生し、許容量を超えると、速やかに排気され、その結果、部屋の中に有害ガスが長期間充満することがなく、快適であるし、安全である。
【００２２】
（実施例２）
先ず図３および図４に示す実施例について説明する。
図３および図４は本発明建物の換気構造の一実施例を示すもので、図３は建物の断面図、図４は小型排気ファンと可変通気口との関係を示す説明図である。
【００２３】
図３および図４において、Ａａは建物であり、この建物Ａａには、１階に居室１１ａ、１２ａ、台所１３ａ、階段ホール１４ａ等が設けられ、２階に居室２１ａ、階段ホール２２ａ等が設けられている。
３ａは換気口であり、この換気口３ａは１階の居室１１ａの屋外に通じる壁に設けられた換気口３ａ−１と、１階の居室１２ａの屋外に通じる壁に設けられた換気口３ａ−２と、１階の台所１３ａの屋外に通じる壁に設けられた換気口３ａ−３と、２階の居室２１の屋外に通じる壁に設けられた換気口３ａ−４とからなる。
【００２４】
４ａは可変通気口であり、この可変通気口４ａは１階の居室１１ａと居室１２ａとの間の間仕切りに設けられた可変通気口４ａ−１と、居室１２ａと階段ホール１４ａとの間の間仕切りに設けられた可変通気口４ａ−２と、居室１２ａから図示されない浴室との間の扉からなる建具に設けられた可変通気口４ａ−３と、階段ホール１４ａと台所１３ａとの間に設けられた間仕切りに設けられた可変通気口４ａ−４と、２階の居室２１ａと階段ホール２２ａとの間の間仕切りに設けられた可変通気口４ａ−５と、階段ホール２２ａから図示されない部屋との間に設けられた扉に設けられた可変通気口４ａ−６からなる。
この可変通気口４ａは後述する制御装置８ａによって開閉扉４１ａが開閉できるようになっている。
【００２５】
５ａは排気ファンであり、この排気ファン５は２階の階段ホール２２の屋外に通じる壁に設けられていて、常時、稼働していて、建物Ａａ内の空気を屋外に排出している。
９ａは小型排気ファンであり、この小型排気ファン９ａはそれぞれの居室に設けられている。即ち、この小型排気ファン９ａは１階の居室１１ａの屋外に通じる壁に設けられた小型排気ファン９ａ−１、居室１２ａの屋外に通じる壁に設けられた小型排気ファン９ａ−２、２階に居室２１ａの屋外に通じる壁に設けられた小型排気ファン９ａ−３等からなる。そして、この小型排気ファン９ａは後述の制御装置８ａによって稼働停止されるようになっている。
【００２６】
７ａはガスセンサーであり、このガスセンサー７ａは炭酸ガス、一酸化物炭素、煙草の煙、湿気に感知するものであり、各居室１１ａ、１２ａ、２１ａに設けられている。
８ａは制御装置であり、この制御装置８ａは、図４に示すように、ガスセンサー７ａが感知した炭酸ガス、一酸化物炭素、煙草の煙、湿気の量を絶えず測定していて、許容範囲を超えると、ガスセンサー７ａが感知した部屋の小型排気ファン９ａを稼働させると共に、ガスセンサー７ａが感知した居室と隣の部屋との間の間仕切りの可変通気口４ａの開閉扉４１ａを閉じるようになっている。
【００２７】
次に、この建物の換気構造の使用状態を説明する。
常時、排気ファン５ａが稼働している。
すると、この排気ファン５ａが設けられている２階の階段ホール２２ａ内の空気が排気され、この２階の階段ホール２２ａと、この２階の階段ホール２２ａおよびこの階段ホール２２ａに続いている１階の階段ホール１４ａの空気が負圧になり、この２階の階段ホール２２ａと２階の居室２１ａとの間の間仕切りに設けられている可変通気口４ａ−５と、図示されない部屋との間の扉からなる建具に設けられた可変通気口４ａ−６を通って空気が流れ込む。居室２１ａの空気が２階の階段室２２ａに流れ込むと居室２１ａが負圧になり、換気口３ａ−４から外気が流れ込む。換言すると、換気口３ａ−３から外気が入り排気ファン５ａによって排気されて２階の階段ホール２２ａと居室２１ａ等が換気される。
【００２８】
又、１階の階段ホール１４ａが負圧になると、１階の階段ホール１４ａと１階の居室１２ａとの間の間仕切りに設けられている可変通気口４ａ−２と、台所１３ａとの間の間仕切りに設けられている可変通気口４ａ−４を通って空気が流れ込む。又、居室１２ａの空気が１階の階段室に流れ込むとこの居室１２ａが負圧になり、一部、換気口３ａ−２から排気されると同時に隣の居室１１ａから可変通気口４ａ−１を通って流れ込む。台所１３ａには換気口３ａ−３から外気が流れ込むし、居室１１ａには換気口３ａ−１から外気が流れ込む。換気口３−２ａ、３−１ａから外気が入り排気ファン５ａによって排気される。
このようにして１階の居室１１ａ、１２ａ、階段ホール１４ａ、台所１３ａが換気される。
【００２９】
そして、各部屋の中のどれか１つの部屋、例えば、居室１１ａに据え付けている暖房器具から炭酸ガスや一酸化炭素等の有害ガスが発生すると、居室１１ａに設けられたガスセンサー７ａが有害ガスを感知し、この感知した有害ガスの量を制御装置８ａが測定していて、この有害ガスが予め定めている所定の許容量を超えると、制御装置８ａが小型排気ファン９ａ−１を稼働させると同時にガスセンサー７ａが感知した居室１１ａと隣の部屋１２ａとの間の間仕切りに設けられた可変通気口４ａ−１の開閉扉４１ａを閉める。
【００３０】
すると、小型排気ファン９ａによってガスセンサー７ａが感知した居室１１ａの空気が排気され、換気口３ａ−１から外気が入って換気される。このように１つの居室が換気される。しかも、居室１１ａと部屋１２ａとの間の間仕切りに設けられている可変通気口４−１ａが閉まるから、この有害ガスが別の部屋に拡がることがない。
そのために、炭酸ガスや一酸化炭素等の有害ガスが発生すると速やかに排気され、部屋の中に有害ガスが長期間充満することがなく、快適であるし、別の部屋に有害ガスが拡がらず安全である。
【００３１】
【発明の効果】
請求項１記載の発明および請求項２記載の発明では、部屋に設けられた屋外に通じる換気口と、部屋と部屋との間の間仕切りまたは建具に設けられた可変通気口と、１以上の部屋の外壁または天井に設けられた屋外に通じる排気ファンが設けられ、可変通気口は常時一部開口しているから、常時稼働している排気ファンによって各部屋の換気が行われる。
そして、各部屋の中のどれか１つの部屋から炭酸ガスや一酸化炭素等の有害ガスが発生し、これが許容量を超えると、請求項１記載の発明では、部屋に設けられたガスセンサーが有害ガスを感知すると、風量自動可変排気ファンが稼働するようになっているから、風量自動可変排気ファンによって風量自動可変排気ファンが設けられている部屋の排気量が多くなり、速やかに換気されるので安心である。
【００３２】
請求項２記載の発明では、居室に設けられたガスセンサーが有害ガスを感知すると、小型排気ファンが稼働すると同時にガスセンサーが感知した居室と隣の部屋との間の間仕切りまたは建具に設けられた可変通気口が閉まるようになっているから、小型排気ファンによってガスセンサーが感知した居室の空気が排気され、換気口から外気が入る。しかも、居室と部屋との間の間仕切りまたは建具に設けられている可変通気口が閉まっているからこの有害ガスが別の部屋に拡がることがない。
そのために、炭酸ガスや一酸化炭素等の有害ガスが発生すると速やかに排気され、部屋の中に有害カスが長期間充満することがなく、快適であるし、別の部屋に有害ガスが拡がらず安全である。
【図面の簡単な説明】
【図１】本発明建物の換気構造の一実施例を示すもので、建物の断面図である。
【図２】可変通気口と風量自動可変排気ファンとの関係を示す説明図である。
【図３】本発明建物の換気構造の他の実施例を示すもので、建物の断面図である。
【図４】小型排気ファンと可変通気口との関係を示す説明図である。
【符号の説明】
Ａ                建物
１１、１１ａ      １階の居室
１２、１２ａ      １階の居室
１３、１３ａ      台所
１４、１４ａ      １階の階段ホール
２１、２１ａ      ２階の居室
２２、２２ａ      ２階の階段ホール
３、３ａ          換気口
４、４ａ          可変通気口
５、５ａ          排気ファン
６１              風量自動可変排気ファン
７、７ａ          ガスセンサー
８、８ａ          制御装置
９ａ              小型排気ファン
【図１】
0003605232.tif 000002
【図２】
0003605232.tif 000003
【図３】
0003605232.tif 000004
【図４】
0003605232.tif 000005